【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
小風量を送風する弱気流と、前記小風量よりも大きな大風量を送風する強気流とを発生させる送風制御を実行する制御部を備え、前記制御部は、前記強気流の最大風量である強上限風量と室温に応じて規定される温感変化点風量との比較に基づいて、前記強気流から前記弱気流に移行する際の風量である強終了風量を制御することを特徴とする送風装置。
【請求項２】
前記制御部は、前記強上限風量が前記温感変化点風量よりも大きい場合は、前記強終了風量を前記弱気流から前記強気流へ移行する際の風量である強開始風量よりも小さくするように制御することを特徴とする請求項１に記載の送風装置。
【請求項３】
前記制御部は、前記強上限風量が前記温感変化点風量よりも小さい場合は、前記強終了風量を前記弱気流から前記強気流へ移行する際の風量である強開始風量よりも大きくするように制御することを特徴とする請求項１に記載の送風装置。
【請求項４】
前記制御部は、前記強上限風量が前記温感変化点風量よりも大きい場合に前記強終了風量として第１強終了風量を設定し、前記強上限風量が前記温感変化点風量よりも低い場合に前記強終了風量として第２強終了風量を設定し、前記第１強終了風量を前記第２強終了風量よりも小さくするように制御することを特徴とする請求項１に記載の送風装置。
【請求項５】
前記制御部は、前記強上限風量が前記温感変化点風量よりも大きい場合、前記強気流を発生させている期間における前記温感変化点風量以上の送風量の積算値である強積算風量に応じて前記強終了風量を制御することを特徴とする請求項１または２または４に記載の送風装置。
【請求項６】
小風量を送風する弱気流と、前記小風量よりも大きな大風量を送風する強気流とを交互に発生させる送風制御をマイコンに実行させる送風制御プログラムであって、
前記強気流の最大風量である強上限風量と室温に応じて規定される温感変化点風量との比較に基づいて、前記強気流から前記弱気流に移行する際の風量である強終了風量を制御することを特徴とする送風制御プログラム。
【請求項７】
前記強上限風量が前記温感変化点風量よりも大きい場合は、前記強終了風量を前記弱気
流から前記強気流へ移行する際の風量である強開始風量よりも小さくするように制御することを特徴とする請求項６に記載の送風制御プログラム。
【請求項８】
前記強上限風量が前記温感変化点風量よりも小さい場合は、前記強終了風量を前記弱気流から前記強気流へ移行する際の風量である強開始風量よりも大きくするように制御することを特徴とする請求項６に記載の送風制御プログラム。
【請求項９】
前記強上限風量が前記温感変化点風量よりも大きい場合に前記強終了風量として第１強終了風量を設定し、前記強上限風量が前記温感変化点風量よりも低い場合に前記強終了風量として第２強終了風量を設定し、前記第１強終了風量を前記第２強終了風量よりも小さくするように制御することを特徴とする請求項６に記載の送風制御プログラム。
【手続補正２】
【補正対象書類名】明細書
【補正対象項目名】０００５
【補正方法】変更
【補正の内容】
【０００５】
上記従来例では、第１送風パターン１０２と第２送風パターン１０３とで送風量が変化するため、ユーザーが心地よいゆらぎの変動感を感じたとしても体感温度がそれぞれのパターンで変わるため、温感として不快になるという課題があった。
【手続補正３】
【補正対象書類名】明細書
【補正対象項目名】０００７
【補正方法】変更
【補正の内容】
【０００７】
そして、この目的を達成するために、本発明に係る送風装置は、小風量を送風する弱気流と、小風量よりも大きな大風量を送風する強気流とを発生させる送風制御を実行する制御部を備える。そして、制御部は、強気流の最大風量である強上限風量と室温に応じて規定される温感変化点風量との比較に基づいて、強気流から弱気流に移行する際の風量である強終了風量を制御するものであり、これにより所期の目的を達成するものである。
【手続補正４】
【補正対象書類名】明細書
【補正対象項目名】００１０
【補正方法】変更
【補正の内容】
【００１０】
本発明に係る送風装置は、小風量を送風する弱気流と、小風量よりも大きな大風量を送風する強気流とを発生させる送風制御を実行する制御部を備える。そして、制御部は、強気流の最大風量である強上限風量と室温に応じて規定される温感変化点風量との比較に基づいて、強気流から弱気流に移行する際の風量である強終了風量を制御するものである。これにより、使用者は強気流によって温感が変化した場合であっても、温感を調整するように強終了風量を制御することで体感温度が調整される。したがって、心地よいゆらぎの変動感を与えつつ、温熱的な快適性を向上させる効果を得られる。
【手続補正５】
【補正対象書類名】明細書
【補正対象項目名】００１１
【補正方法】変更
【補正の内容】
【００１１】
また、制御部は、強上限風量が温感変化点風量よりも大きい場合は、強終了風量を弱気流から強気流へ移行する際の風量である強開始風量よりも小さくするように制御するものである。これにより、使用者は強気流によって心地よいゆらぎの変動感を感じながらも体感温度が低下する。その際の強上限風量が温感変化点風量よりも高い、すなわち温感が熱的中立に対して寒い側に変化する場合、強終了風量は強開始風量よりも低くして低下した体感温度を上昇させるようにすることで温感を熱的中立に維持することができるようになる。したがって、心地よいゆらぎの変動感を与えつつ、温熱的な快適性を向上させる効果を得られる。
【手続補正６】
【補正対象書類名】明細書
【補正対象項目名】００１２
【補正方法】変更
【補正の内容】
【００１２】
また、制御部は、強上限風量が温感変化点風量よりも小さい場合は、強終了風量を弱気流から強気流へ移行する際の風量である強開始風量よりも大きくするように制御するようにしてもよい。これにより、使用者は強気流によって心地よいゆらぎの変動感を感じながらも強上限風量が温感変化点風量よりも低い、すなわち温感が熱的中立に対して暑い側のままである場合、強終了風量は強開始風量よりも高くして更に体感温度を低下させるようにすることで温感を熱的中立に維持することができるようになる。したがって、心地よいゆらぎの変動感を与えつつ、温熱的な快適性を向上させる効果を得られる。
【手続補正７】
【補正対象書類名】明細書
【補正対象項目名】００１３
【補正方法】変更
【補正の内容】
【００１３】
また、制御部は、強上限風量が温感変化点風量よりも大きい場合に強終了風量として第１強終了風量を設定し、強上限風量が温感変化点風量よりも低い場合に強終了風量として第２強終了風量を設定し、第１強終了風量を第２強終了風量よりも小さくするように制御するようにしてもよい。
【手続補正８】
【補正対象書類名】明細書
【補正対象項目名】００１５
【補正方法】変更
【補正の内容】
【００１５】
また、制御部は、強上限風量が温感変化点風量よりも大きい場合、強気流を発生させている期間における温感変化点風量以上の送風量の積算値である強積算風量に応じて強終了風量を制御するようにしてもよい。これにより、強上限風量が温感変化点風量を越えて温熱的に寒い側になる積算風量に応じて、強終了風量を低下した体感温度を上昇させて中立に戻すように制御することで、温感を熱的中立に維持することができるようになる。したがって、心地よいゆらぎの変動感を与えつつ、温熱的な快適性を向上させる効果を得られる。
【手続補正９】
【補正対象書類名】明細書
【補正対象項目名】００２１
【補正方法】変更
【補正の内容】
【００２１】
図３は、扇風機３のＡ―Ａ‘断面を示す断面図である。プロペラファン６は、回転軸である回転体８と、回転体８に複数接続された回転することで空気中に圧力差を発生させる部材である翼９と、翼９とユーザー５が接触することを防止する部材であるガード１０と、回転体に動力を供給する動力部１１とから構成されている。また、動力部１１は回転体８に動力を供給するモーター１２と、モーター１２の回転数を制御する制御基板１３と、制御基板１３とモーター１２との間で信号の受け渡しを行う信号線１４とで構成されている。また、室内の室温を検知する手段として温度センサ１５（図示せず）を備え、検知した温度情報は制御基板１３に伝達される。これらの構成により、扇風機３は制御基板１３から送信される信号に基づいて、モーター１２の回転数を変化させることで、ユーザー５に送風する風量を変化させている。